(57)【特許請求の範囲】
【請求項１】
錠の角軸２に外嵌合すると共に、ハンドル座１０に内装された軸受けガイド板１２に凹所１５及び該凹所１５に半径方向に連通するガイド溝１６を形成し、また、前記凹所１５に前記角軸２と共働すると共に、外周部に少なくとも１つの切欠部を有する回転係合板２０を嵌合し、また、ハンドル座１０には、前記角軸２が所定量回転した際に、錠のラッチ機能を一時停止させることができるように、前記ガイド溝１６にスライド可能に嵌合し、かつ、内端部が前記切欠部と係脱可能であると共に、外端部がハンドル座１０から突出するプッシュ式ロック片２６を含むロック手段２５を設けたことを特徴とするラッチ機能一時停止機構。
【請求項２】
請求項１に於いて、回転係合板２０は、外周部に複数個の係合突起２２と切欠部２３とを有することを特徴とする錠のラッチ機能一時停止機構。
【請求項３】
請求項１に於いて、ロック手段２５は、係合球２８及びバネ部材２９を含み、係合球２８はロック片２６の側壁部に形成された複数個の係合穴２７に選択的に係脱することを特徴とする錠のラッチ機能一時停止機構。
【発明の詳細な説明】
【０００１】
【産業上の利用分野】
本発明はハンドル錠、ノブ錠などの錠のラッチ機能一時停止機構に関する。
【０００２】
【従来の技術】
従来、例えばハンドル錠又はノブ錠は、例えば実公平５８−３２５１６号に一例が開示されている。
【０００３】
一般に、この種のハンドル錠又はノブ錠は、錠箱のフロントから突出し、かつ、ドア枠のストライクと係脱するラッチを備えている。
【０００４】
しかして、ハンドル又はノブを回転操作すると、ラッチは錠箱に内装された駆動カムを介して係合解除の方向へ後退する。そして、ハンドル又はノブから手を離すと、錠箱に内装されたバネ部材のバネ力により、ハンドル又はノブは元の状態に復帰し、ラッチはストライクと係合する。
【０００５】
ところで、近年、地震の活動期に入ったと言われているが、大きな地震が発生するとドア枠が歪み、ドアが容易に開かないと言う事態がしばしば発生する。この様な場合、従来のハンドル錠又はノブ錠に於いては、片手でハンドル又はノブを回転し、ラッチの係合を解除させた状態を保持しながらドアを開けなければ成らない。すなわち、余分な動作をしながらドアを開けなければならないので、全力を投入することができないと言う欠点を有していた。
【０００６】
【発明が解決しようとする課題】
本発明は以上のような従来の欠点に鑑み、第１の目的はドアが容易に開かない場合にラッチ機能を一時停止させ、全力を投入することによりドアを開けることができる錠のラッチ機能一時停止機構を得ることである。また第２の目的は構成する部品点数を少なくする等合理的な機構により、ラッチ機能を一時停止させることができることである。そして、第３の目的は各部材の組み合わせが容易であることである。
【０００７】
【課題を解決するための手段】
本発明の錠のラッチ機能一時停止機構は、錠の角軸２に外嵌合すると共に、ハンドル座１０に内装された軸受けガイド板１２に凹所１５及び該凹所１５に半径方向に連通するガイド溝１６を形成し、また、前記凹所１５に前記角軸２と共働すると共に、外周部に少なくとも１つの切欠部を有する回転係合板２０を嵌合し、また、ハンドル座１０には、前記角軸２が所定量回転した際に、錠のラッチ機能を一時停止させることができるように、前記ガイド溝１６にスライド可能に嵌合し、かつ、内端部が前記切欠部と係脱可能であると共に、外端部がハンドル座１０から突出するプッシュ式ロック片２６を含むロック手段２５を設けたことを特徴とする。
【０００８】
上記構成に於いて、回転係合板２０は、外周部に複数個の係合突起２２と切欠部２３とを有することを特徴とする。また、ロック手段２５の係合球２８及びバネ部材２９は、ロック片２６の側壁部に形成された複数個の係合穴２７に選択的に係脱することを特徴とする。
【０００９】
【作用】
全力でドアを開けようとする場合には、片手でハンドル又はノブを所要量回転し、その状態でロック手段のロック片をハンドル座内へ指で押し込む。そうすると、係合球は一方の係合孔からバネ部材のバネ力に抗して一旦後退するや否や他方の係合穴へとスライド係合し、ロック片の内端部と回転係合板の係合突起とがロック状態に係合する。その結果、錠のラッチ機能が一時停止する。そこで、余分な動作をせず、両手を用いて全力でドアを開けることができる。
【００１０】
一方、ロック手段のロックを解除をさせる場合には、ロック片を単に押し下げれば良い。そうすると、係合球は係合穴の位置を変えると共に、ハンドル又はノブは自動的に戻り、ハンドル又はノブと共に回転した回転係合板の係合突起がロック片と対向する。
【００１１】
【実施例】
以下、図面に示す実施例により本発明を詳細に説明する。図１ないし図６は本発明の第１実施例を示すハンドル錠１である。
【００１２】
まず図１において、ハンドル錠１は、一方側のハンドル３と、角軸２と一体的に連結される他方側のハンドル４と、これらのハンドル３、４が装着される錠箱５とから成り、前記錠箱５には内外のハンドル３、４のそれぞれの回転操作で駆動するカム６が設けられており、このカム６の回転駆動により、フロント７からラッチ８が進退動する。なお、９はサムターンを介して進退動するデッドボルト、１０はハンドル座である。
【００１３】
しかして、ドアＤにハンドル錠１を装着した場合に於いて、ラッチ８が図示しないストライクと係合状態の時は、ハンドル３、４は水平状態に位置し、一方、ハンドル３、４を略３０度下方方向へ回転すると、ラッチ８はその係合が解除される。そして、ハンドル３、４からそれぞれ手を放すと、錠箱５に内装されたバネ部材のバネ力により、ハンドル３、４は水平状態に復帰し、ラッチ８はそのラッチ機能を発揮する。
【００１４】
ところで、本発明は一方側のハンドル３または他方側のハンドル４のいずれに応用しても良いが、説明の便宜上、一方側のハンドル３に応用した場合について説明する。
【００１５】
次に図２ないし図３に於いて、３は前述したように一方側（室内側）のハンドルである。このハンドル３の取付け基部には、基部よりも小径の軸筒部３ａが設けられている。ハンドル３には、軸芯方向に角穴３ｂが形成されており、この角穴３ｂに角軸２が固定的に嵌合している。
【００１６】
１０はハンドル３の軸筒部３ａを支承するハンドル座である。このハンドル座１０はドアＤの一側面に固定的に取付けられる。
【００１７】
ところで、ハンドル座１０は、本実施例では中心孔を有すると共に、その周壁部の適宜箇所にガイド用切欠部１１ａを有するキャップ状の飾り板１１と、この飾り板１１に内装された環状の軸受けガイド板１２と、前記飾り板１１の内側開口部を閉じるリング状押え板１３とから成る。
【００１８】
しかして、前記軸受けガイド板１２の中心部には、飾り板１１の中心孔と符合する軸孔１４が形成されており、またその内面側には軸孔１４と連通し、かつ該軸孔１４よりも大径の円形凹所１５が形成され、さらに軸孔１４及び凹所１５にそれぞれ連通するように半径方向に段差状のガイド溝１６が形成されている。そして、軸受けガイド板１２の下端部には、前記ガイド溝１６と交差するやや小さめのバネ収納溝１７が形成されている。
【００１９】
また前記押え板１３の中心部には貫通孔１８が形成され、該押え板１３は軸受けガイド板１２及び後述する回転係合板２０を押さえる機能を有すると共に、ロック片２６を案内するガイド機能も有する。
【００２０】
２０はハンドル３の角軸２に外嵌合すると共に、軸受けガイド板１２の円形凹所１５に嵌合する回転係合板である。この回転係合板２０はハンドル３と共働する。この回転係合板２０は中心部に角軸２用の角孔２１を有し、本実施例では全体として十字型状に形成されている。
【００２１】
しかして、２２は半径方向に放射状に突出する複数個の係合突起であり、一方、２３は各係合突起２２の間に位置する複数個の切欠部である。これらの係合突起２２及び切欠部２３は取付け上の方向（容易）性を付与するために、所定間隔を有して合計４個ずつ設けられている。
【００２２】
２５はハンドル座１０に適宜に組み込まれ、かつ、ハンドル３を所要量回転した際にハンドル錠１のラッチ機能を一時停止させるロック手段である。
【００２３】
このロック手段２５は、図３及び図４で示すように軸受けガイド板１２のガイド溝１６にスライド可能に嵌合し、かつ、飾り板１１のガイド用切欠部１１ａから突出する断面コ字型状のプッシュ式ロック片２６と、このロック片２６の側壁部に形成された複数個の円錐状係合穴２７と、これらの係合穴２７と選択的に係脱する係合球２８と、この係合球２８を前記係合穴２７に常時係合するように付勢し、かつ、バネ収納溝１７に収納されたバネ部材２９とから成る。
【００２４】
しかして、前記ロック片２６の内端部には軸受けガイド板１２に形成された段差部３０に係止する係止爪２６ａが、一方、その外端部には指先を引っ掛けることができる突起部２６ｂがそれぞれ形成されている。
【００２５】
上記構成に於いて、今仮に地震が発生し、ハンドル錠１が装着されているドアＤを余分な動作（「片手でハンドル３を押し下げ、ラッチ８の係合を解除させた状態を保持する動作」を意味する。）を省き、全力でドアＤを開けようとする場合には、まず図６で示すように片手でハンドル３を所要量押し下げる。ハンドル３を押し下げると、ラッチ８はカム６の駆動を介し、ストライクからその係合が解除されるが、その時回転係合板２０はハンドル３と共働して回転する。そうすると、切欠部２３がロック片２６と対向する位置へと移行している。
【００２６】
次にロック片２６をハンドル座１０内へ指で押し込むと、係合球２８は一方の係合孔２７からバネ部材２９のバネ力に抗して一旦後退するや否や他方の係合穴２７へとスライド係合する。その結果、ロック片２６の内端部と回転係合板２０の１つの係合突起２２とがロック状態に係合し、ロック手段２５によりハンドル錠１のラッチ機能が一時停止する。そこで、余分な動作をせず、両手を用いて全力でドアＤを開けることができる。
【００２７】
一方、ロック手段２５のロックを解除させる場合には、ロック片２６の突起部２６ｂに指を掛け、単に押し下げれば良い。そうすると、係合球２８は係合穴２７の位置を変えると共に、ハンドル３は図５で示す元の位置（水平状態）へ自動的に戻り、ハンドル３と共に回転した回転係合板２０の１つの係合突起２２はロック片２６と対向する。
【００２８】
なお、本発明はハンドル錠１について説明しているが、いわゆるノブ錠であっても同じである。したがって、ノブ錠の場合はその角軸に回転係合板が設けられる。
【００２９】
【異なる実施例】
次に図７及び図８に示す本発明の異なる実施例につき説明する。なお、この実施例の説明に当たって、前記第１実施例と同一の部分には同一の符号を付し、重複する説明を省略する。
【００３０】
図７及び図８に示す第２実施例に於いて、前記第１実施例と主に異なる点は、回転係合板２０Ａが、外周部にロック片２６Ａが入り込む少なくとも１つの切欠部２３Ａを有していることである。
【００３１】
しかして、この回転係合板２０Ａは、第１実施例のように放射状に突出する複数個の係合突起を有していないので、該回転係合板２０Ａを角孔２１Ａを介してハンドルの角軸２Ａに自由に組み込むことができないが、ハンドル又はノブの角軸２Ａと共働する回転係合板２０Ａの切欠部２３Ａにプッシュ式のロック片２６Ａが入り込むと、錠１Ａのラッチ機能が一時停止するので、第１実施例と同一の作用、効果がある。
【００３２】
【発明の効果】
以上の説明から明らかなように、本発明にあっては次に列挙するような効果がある。
（１）ドアが容易に開かない場合に錠のラッチ機能を一時停止させ、全力を投入することによりドアを開けることができる。なお、ロック手段２５で間接的にロックされたハンドルは、斜め下方の位置に傾むいた状態になっているので、目視によりラッチがストライクから係合解除されていることが容易に分かる。
（２）構成する部品点数を少なくする等合理的な機構により、錠のラッチ機能を一時停止させることができる。すなわち、ハンドル又はノブの角軸（２、２Ａ）と共働する回転係合板（２０、２０Ａ）をハンドル座１０に内装された軸受けガイド板１２の凹所１５に嵌合し、前記回転係合板とロック状態に係合するプッシュ式ロック片２６を有するロック手段２５をハンドル座１０に適宜に組み込んだので、ハンドル又はノブを回転させた状態で単にロック片２６を指で押し込むだけでラッチ機能を一時停止させることができる。
（３）またロック手段のロック片２６を指でスライドさせる（本実施例では押し下げる）だけで、簡単に回転係合板あるいはハンドルのロックを解除することがでる。
（４）回転係合板２０が、その外周部に複数個の係合突起２２と切欠部２３とを有する実施例の場合は、各部材の組み合わせが容易である。
【図面の簡単な説明】
図１ないし図６は本発明の第１実施例の各説明図。図７及び図８は本発明の第２実施例の各説明図。
【図１】本発明を応用した第１実施例の概略説明図。
【図２】本発明の分解説明図。
【図３】ドアに装着した一例を示す概略断面説明図。
【図４】第１実施例の要部の斜視図。
【図５】ラッチが機能している場合の説明図。
【図６】ラッチの機能が一時停止している場合の説明図。
【図７】第２実施例の要部の斜視図。
【図８】第２実施例のラッチの機能が一時停止している場合の説明図。
【符号の説明】
１、１Ａ…ハンドル錠、２、２Ａ…角軸、３、４…ハンドル、
５…錠箱、８…ラッチ、１０…ハンドル座、１１…飾り板、
１２…軸受けガイド、１３…押さえ板、
１５…凹所、１６…ガイド溝、１７…バネ収納溝、
２０、２０Ａ…回転係合板、２１、２１Ａ…角孔、
２２…係合突起、２３、２３Ａ…切欠部、
２５…ロック手段、２６、２６Ａ…ロック片、
２７…係合穴、２８…係合球、２９…バネ部材。
【図１】
0003717548.tif 000002
【図２】
0003717548.tif 000003
【図３】
0003717548.tif 000004
【図４】
0003717548.tif 000005
【図５】
0003717548.tif 000006
【図６】
0003717548.tif 000007
【図７】
0003717548.tif 000008
【図８】
0003717548.tif 000009